(57)【特許請求の範囲】
【請求項１】
Ｔ１の周期を有する周期の波形によってビット１のデータを伝送し、前記Ｔ１と異なるＴ２の周期を有する周期の波形によってビット０のデータを伝送し、送信する送信データのビットシーケンスに応じて対応する前記周期の波形を連続的に送信し、
前記送信データのビットシーケンスが同期ヘッド、伝送する符号及び同期エンドを順に含み、前記同期ヘッドが同一のビット値を有するＭ（Ｍ≧２）ビットを有し、前記同期エンドが同一のビット値を有するＮ（Ｎ≧２）ビットを有し、
前記伝送する符号が少なくとも１ビットのスタートビット、少なくとも１ビットのデータビット、及び少なくとも１ビットのエンディングビットを順に含み、前記スタートビットのビット値が前記同期ヘッドのビット値と異なり、前記エンディングビットのビット値が前記同期エンドのビット値と異なるデータ送信方法。
【請求項２】
前記同期ヘッドはＭ（Ｍ＝２０）個ビット１からなり、前記同期エンドはＮ（Ｎ＝２０）個ビット０からなること
を特徴とする請求項１に記載のデータ送信方法。
【請求項３】
送信する送信データのビットシーケンスを生成して出力するビットシーケンス生成ユニットと、
Ｔ１の周期を有する周期の波形によってビット１のデータを伝送し、前記Ｔ１と異なるＴ２の周期を有する周期の波形によってビット０のデータを伝送するように、入力した前記送信データのビットシーケンスに応じて対応する前記周期の波形を連続的に送信する波形生成送信ユニットと、
を備え、
前記ビットシーケンス生成ユニットは、同期ヘッド、伝送する符号及び同期エンドを順に含む送信データのビットシーケンスを生成し、前記同期ヘッドが同一のビット値を有するＭ（Ｍ≧２）ビットを有し、前記同期エンドが同一のビット値を有するＮ（Ｎ≧２）ビットを有し、前記伝送する符号が前記送信データにおける符号情報を含み、
前記伝送する符号が少なくとも１ビットのスタートビット、少なくとも１ビットのデータビット、及び少なくとも１ビットのエンディングビットを順に含み、前記スタートビットのビット値が前記同期ヘッドのビット値と異なり、前記エンディングビットのビット値が前記同期エンドのビット値と異なるデータ送信装置。
【請求項４】
前記同期ヘッドはＭ（Ｍ＝２０）個ビット１からなり、前記同期エンドはＮ（Ｎ＝２０）個ビット０からなること
を特徴とする請求項３に記載のデータ送信装置。
【請求項５】
Ｔ１の周期を有する周期の波形によってビット１のデータを伝送し、前記Ｔ１と異なるＴ２の周期を有する周期の波形によってビット０のデータを伝送する周期の波形を連続的に受信し、
受信した前記周期の波形の周期に基づいて受信したデータのビットシーケンスを特定し、
前記受信したデータのビットシーケンスが同期ヘッド、伝送する符号及び同期エンドを順に含み、前記同期ヘッドが同一のビット値を有するＭ（Ｍ≧２）ビットを有し、前記同期エンドが同一のビット値を有するＮ（Ｎ≧２）ビットを有し、
前記伝送する符号が少なくとも１ビットのスタートビット、少なくとも１ビットのデータビット、及び少なくとも１ビットのエンディングビットを順に含み、前記スタートビットのビット値が前記同期ヘッドのビット値と異なり、前記エンディングビットのビット値が前記同期エンドのビット値と異なるデータ受信方法。
【請求項６】
前記同期ヘッドはＭ（Ｍ＝２０）個ビット１からなり、前記同期エンドはＮ（Ｎ＝２０）個ビット０からなること
を特徴とする請求項５に記載のデータ受信方法。
【請求項７】
Ｔ１の周期を有する周期の波形によってビット１のデータを伝送し、前記Ｔ１と異なるＴ２の周期を有する周期の波形によってビット０のデータを伝送する周期の波形を連続的に受信する受信ユニットと、
該受信ユニットが受信した前記周期の波形の周期に基づいて受信したデータのビットシーケンスを特定する特定ユニットと、
を備え、
前記受信したデータのビットシーケンスが同期ヘッド、伝送する符号及び同期エンドを順に含み、前記同期ヘッドが同一のビット値を有するＭ（Ｍ≧２）ビットを有し、前記同期エンドが同一のビット値を有するＮ（Ｎ≧２）ビットを有し、
前記伝送する符号が少なくとも１ビットのスタートビット、少なくとも１ビットのデータビット、及び少なくとも１ビットのエンディングビットを順に含み、前記スタートビットのビット値が前記同期ヘッドのビット値と異なり、前記エンディングビットのビット値が前記同期エンドのビット値と異なるデータ受信装置。
【請求項８】
前記同期ヘッドはＭ（Ｍ＝２０）個ビット１からなり、前記同期エンドはＮ（Ｎ＝２０）個ビット０からなること
を特徴とする請求項７に記載のデータ受信装置。
【発明の詳細な説明】
【技術分野】
【０００１】
本発明は、電子情報技術分野に関し、特にデータの送信方法、受信方法及び装置に関する。
【背景技術】
【０００２】
従来、情報伝送技術分野では、ビット１又はビット０を同一の周期を有する正弦波又は矩形波等の波形を利用して伝送する。具体的には、同一の周期を有し、一周期での高レベルの割合であるデューティー比が異なる正弦波又は矩形波等によってビット１とビット０をそれぞれ示す。
【０００３】
しかし、上述した従来の情報伝送技術では、送信側装置は同一の周期を有する正弦波又は矩形波等の波形を伝送し、受信側装置は該送信側装置から伝送した同一の周期を有する正弦波又は矩形波等の波形を受信し、受信した波形からデューティー比を検出することによって、ビット１とビット０を区分して送信側装置から伝送したデータを特定する。デューティー比の検出処理は複雑であるため、受信側の負担及びコストが大きくなる。
【発明の概要】
【発明が解決しようとする課題】
【０００４】
本発明は、受信装置側の処理の複雑度を低減することができるデータ送信方法、データ受信方法及び装置を提供することを目的とする。
【課題を解決するための手段】
【０００５】
本発明の一態様によれば、データ送信方法が提供可能である。本発明のデータ送信方法は、Ｔ１の周期を有する周期の波形によってビット１のデータを伝送し、前記Ｔ１と異なるＴ２の周期を有する周期の波形によってビット０のデータを伝送し、送信する送信データのビットシーケンスに応じて対応する前記周期の波形を連続的に送信する。
【０００６】
本発明の別の態様によれば、データ送信装置が提供可能である。本発明のデータ送信装置は、送信する送信データのビットシーケンスを生成して出力するビットシーケンス生成ユニットと、Ｔ１の周期を有する周期の波形によってビット１のデータを伝送し、前記Ｔ１と異なるＴ２の周期を有する周期の波形によってビット０のデータを伝送するように、入力した前記送信データのビットシーケンスに応じて対応する前記周期の波形を連続的に送信する波形生成送信ユニットとを備える。
【０００７】
本発明の別の態様によれば、データ受信方法が提供可能である。本発明のデータ受信方法は、Ｔ１の周期を有する周期の波形によってビット１のデータを伝送し、前記Ｔ１と異なるＴ２の周期を有する周期の波形によってビット０のデータを伝送する周期の波形を連続的に受信し、受信した前記周期の波形の周期に基づいて受信したデータのビットシーケンスを特定する。
【０００８】
本発明の別の態様によれば、データ受信装置が提供可能である。本発明のデータ受信装置は、Ｔ１の周期を有する周期の波形によってビット１のデータを伝送し、前記Ｔ１と異なるＴ２の周期を有する周期の波形によってビット０のデータを伝送する周期の波形を連続的に受信する受信ユニット、該受信ユニットが受信した前記周期の波形の周期に基づいて受信したデータのビットシーケンスを特定する特定ユニットとを備える。
【発明の効果】
【０００９】
本発明によれば、受信側は周期の波形の周期に基づいて受信したデータのビットシーケンスを特定することが可能であり、これによって、従来技術のようにデューティー比を検出する必要がなくなり、受信側の負担及びコストを低減することができる。
【００１０】
本発明の実施形態をより容易に理解されるため、実施形態に係る図面を以下に説明する。当業者であれば理解されるように、以下に説明した図面はあくまでも本発明の実施の形態であって、本発明はこのような実施の形態にのみ限定して狭義に解釈されるものではなく、本発明の精神と請求の範囲に述べる範囲内で、これらの図面に基いて他の図面を得ることができるものである。
【図面の簡単な説明】
【００１１】
【図１】本発明の一実施形態によるデータ送信方法を示すフローチャートである。
【図２】本発明の一実施形態によるデータ送信装置の構成を示す説明図である。
【図３】本発明の一実施形態によるデータ受信方法を示すフローチャートである。
【図４】本発明の一実施形態によるデータ受信装置の構成を示す説明図である。
【図５】本発明の別の実施形態によるデータ送信方法の周期の波形を示す図である。
【図６】本発明の別の実施形態によるデータ送信方法の送信データの構造を示す図である。
【図７】本発明の別の実施形態によるデータ送信方法を示す送信フローチャートである。
【図８】本発明の別の実施形態によるデータ受信方法を示す受信フローチャートである。
【図９】本発明の別の実施形態によるデータ送信中の周期の波形を示す図である。
【発明を実施するための形態】
【００１２】
以下本発明をその実施の形態を示す図面に基づき具体的に説明する。以下に説明する実施形態は、あくまでも本発明の技術的内容を明らかにする意図のものであって、本発明の精神と請求の範囲に述べる範囲内で、種々変更して実施することができるものである。
【００１３】
図１に示すように、本発明の一実施形態に係るデータ送信方法は下記ステップを含む。
ステップ１１：Ｔ１の周期を有する周期の波形によってビット１のデータを伝送し、前記Ｔ１と異なるＴ２の周期を有する周期の波形によってビット０のデータを伝送し、
ステップ１２：送信する送信データのビットシーケンスに応じて対応する前記周期の波形を連続的に送信する。
【００１４】
本発明の一実施形態の実行主体としてデータを送信する送信側装置を利用することができる。
【００１５】
上述した本発明の実施形態によれば、受信側装置は周期の波形の周期に基づいて受信したデータのビットシーケンスを特定することが可能であり、これによって、従来技術のようにデューティー比を検出する必要がなくなり、受信側の負担及びコストを低減することができる。
【００１６】
具体的には、前記ステップ１１では、周期Ｔ１、Ｔ２は下記の関係式を満たすことが好ましい。
Ｔ１：Ｔ２＝１．５：１
【００１７】
なお、前記ステップ１１では、前記周期性波形は正弦波、矩形波又は三角波であってもよい。
【００１８】
具体的には、前記ステップ１２では、前記送信データのビットシーケンスが同期ヘッド、伝送する符号及び同期エンドを順に含んでもよい。
【００１９】
前記同期ヘッドが同一のビット値を有するＭ（Ｍ≧２）ビットを有してもよい。前記同期ヘッドはＭ（Ｍ＝２０）個ビット１からなることが好ましい。波形の安定さを確保するため、通信路では安定のスタート時間が必要であり、同期ヘッドを送信することによって安定の波形で送信データを伝送でき、即ち、送信を始まるとき生じるパルスで送信データを伝送することを避けることが可能である。
【００２０】
前記同期エンドが同一のビット値を有するＮ（Ｎ≧２）ビットを有してもよい。前記同期エンドはＮ（Ｎ＝２０）個ビット０からなることが好ましい。同期エンドを送信することによって安定の波形で最後の送信データを伝送でき、即ち、最後の送信データが確実に伝送され、受信側が正確に受信することを確保できる。
【００２１】
具体的には、前記伝送する符号が少なくとも１ビットのスタートビット、少なくとも１ビットのデータビット、及び少なくとも１ビットのエンディングビットを順に含む。
【００２２】
前記スタートビットが同一のビット値を有し、且つ前記スタートビットのビット値が前記同期ヘッドのビット値と異なる。即ち、スタートビットのビット値は０である場合、同期ヘッドはＭ個ビット１からなり、スタートビットのビット値は１である場合、同期ヘッドはＭ個ビット０からなるように、受信側装置が符号のスタットビットを正確に識別できるため、スタートビットが同期ヘッドのビット値と異なるビット値を有する。
【００２３】
前記エンディングビットが同一のビット値を有し、かつ前記エンディングビットのビット値が前記同期エンドのビット値と異なる。即ち、エンディングビットのビット値は１である場合、同期エンドはＮ個ビット０からなり、エンディングビットのビット値は０である場合、同期エンドはＮ個ビット１からなるように、受信側装置が符号のエンディングビットを正確に識別できるため、エンディングビットが同期エンドのビット値と異なるビット値を有する。
【００２４】
図２に示すように、上述の実施形態のデータ送信方法に応じて、本発明の一実施形態に係るデータ送信装置は、送信する送信データのビットシーケンスを生成して出力するビットシーケンス生成ユニット２１と、Ｔ１の周期を有する周期の波形によってビット１のデータを伝送し、前記Ｔ１と異なるＴ２の周期を有する周期の波形によってビット０のデータを伝送するように、入力した前記送信データのビットシーケンスに応じて対応する前記周期の波形を連続的に送信する波形生成送信ユニット２２とを備える。
【００２５】
上述した本発明の実施形態によれば、受信側装置は周期の波形の周期に基づいて受信したデータのビットシーケンスを特定することが可能であり、これによって、従来技術のようにデューティー比を検出する必要がなくなり、受信側の負担及びコストを低減することができる。
【００２６】
具体的には、周期Ｔ１、Ｔ２は下記の関係式を満たすことが好ましい。
Ｔ１：Ｔ２＝１．５：１
【００２７】
なお、前記周期性波形は正弦波、矩形波又は三角波であってもよい。
【００２８】
具体的には、前記ビットシーケンス生成ユニット２２は、同一のビット値を有するＭ（Ｍ≧２）ビットを備える同期ヘッド、伝送する符号及び同期エンドを順に含む送信データのビットシーケンスを生成し、前記伝送する符号が前記送信データにおける符号情報を含んでもよい。
【００２９】
または、前記ビットシーケンス生成ユニット２２は、同期ヘッド、伝送する符号及び同一のビット値を有するＮ（Ｎ≧２）ビットを備える同期エンドを順に含む送信データのビットシーケンスを生成し、前記伝送する符号が前記送信データにおける符号情報を含んでもよい。
【００３０】
具体的には、前記伝送する符号が少なくとも１ビットのスタートビット、少なくとも１ビットのデータビット、及び少なくとも１ビットのエンディングビットを順に含み、前記スタートビットが同一のビット値を有し、且つ前記スタートビットのビット値が前記同期ヘッドのビット値と異なる。
【００３１】
前記同期ヘッドはＭ（Ｍ＝２０）個ビット１からなることが好ましい。
【００３２】
前記同期エンドはＮ（Ｎ＝２０）個ビット０からなることが好ましい。
【００３３】
本実施形態に係るデータ送信装置の構成は、上述した実施の形態に係るデータ送信方法における送信側装置の動作を参照することにより理解されるため、説明は省略する。
【００３４】
図３に示すように、本発明の一実施形態に係るデータ受信方法は下記ステップを含む。
ステップ３１：Ｔ１の周期を有する周期の波形によってビット１のデータを伝送し、前記Ｔ１と異なるＴ２の周期を有する周期の波形によってビット０のデータを伝送する周期の波形を連続的に受信し、
ステップ３２：受信した前記周期の波形の周期に基づいて受信したデータのビットシーケンスを特定する。
【００３５】
本発明の一実施形態の実行主体としてデータを受信する受信側装置を利用することができる。
【００３６】
上述した本発明の実施形態によれば、受信側装置は周期の波形の周期に基づいて受信したデータのビットシーケンスを特定することが可能であり、これによって、従来技術のようにデューティー比を検出する必要がなくなり、受信側の負担及びコストを低減することができる。
【００３７】
具体的には、周期Ｔ１、Ｔ２は下記の関係式を満たすことが好ましい。
Ｔ１：Ｔ２＝１．５：１
【００３８】
なお、前記周期性波形は正弦波、矩形波又は三角波であってもよい。
【００３９】
前記周期性波形は正弦波又は三角波である場合、前記ステップ３２では、該正弦波又は三角波を対応の矩形波に変更して、隣接する立ち上がりエッジ又は立ち下がりエッジ間の時間間隔に基いて受信したデータのビットシーケンスを特定するように構成される。
【００４０】
一例として、受信側装置は比較器（又は比較回路）を利用して正弦波又は三角波を対応の矩形波に変更する。これにより、矩形波の立ち上がりエッジ又は立ち下がりエッジ間の時間間隔に基いて受信したデータのビットシーケンスを直接的に特定することが可能である。
【００４１】
また、受信側装置は周波数検出回路を利用して正弦波又は三角波の周波数を検出ことによって、受信したデータのビットシーケンスを特定することが可能である。
【００４２】
受信した前記周期の波形の周期に基づいて受信したデータのビットシーケンスを特定する前記ステップ３２では、前記受信したデータのビットシーケンスが同期ヘッド、伝送する符号及び同期エンドを順に含み、前記同期ヘッドが同一のビット値を有するＭ（Ｍ≧２）ビットを有する。また、前記同期ヘッドはＭ（Ｍ＝２０）個ビット１からなることが好ましい。
【００４３】
または、受信した前記周期の波形の周期に基づいて受信したデータのビットシーケンスを特定する前記ステップ３２では、前記受信したデータのビットシーケンスが同期ヘッド、伝送する符号及び同期エンドを順に含み、前記同期エンドが同一のビット値を有するＮ（Ｎ≧２）ビットを有する。また、前記同期エンドはＮ（Ｎ＝２０）個ビット０からなることが好ましい。
【００４４】
受信した前記周期の波形の周期に基づいて受信したデータのビットシーケンスを特定する前記ステップ３２では、前記伝送する符号が少なくとも１ビットのスタートビット、少なくとも１ビットのデータビット、及び少なくとも１ビットのエンディングビットを順に含み、前記スタートビットが同一のビット値を有し、且つ前記スタートビットのビット値が前記同期ヘッドのビット値と異なる。
【００４５】
または、受信した前記周期の波形の周期に基づいて受信したデータのビットシーケンスを特定する前記ステップ３２では、前記伝送する符号が少なくとも１ビットのスタートビット、少なくとも１ビットのデータビット、及び少なくとも１ビットのエンディングビットを順に含み、前記エンディングビットが同一のビット値を有し、かつ前記エンディングビットのビット値が前記同期エンドのビット値と異なる。
【００４６】
図４に示すように、上述の実施形態のデータ送信方法に応じて、本発明の一実施形態に係るデータ送信装置は、Ｔ１の周期を有する周期の波形によってビット１のデータを伝送し、前記Ｔ１と異なるＴ２の周期を有する周期の波形によってビット０のデータを伝送する周期の波形を連続的に受信する受信ユニット４１と、該受信ユニットが受信した前記周期の波形の周期に基づいて受信したデータのビットシーケンスを特定する特定ユニット４２とを備える。
【００４７】
上述した本発明の実施形態によれば、受信側装置は周期の波形の周期に基づいて受信したデータのビットシーケンスを特定することが可能であり、これによって、従来技術のようにデューティー比を検出する必要がなくなり、受信側の負担及びコストを低減することができる。
【００４８】
具体的には、周期Ｔ１、Ｔ２は下記の関係式を満たすことが好ましい。
Ｔ１：Ｔ２＝１．５：１
【００４９】
なお、前記周期性波形は正弦波、矩形波又は三角波であってもよい。
【００５０】
特定ユニット４２は、前記周期性波形は正弦波又は三角波である場合、該正弦波又は三角波を対応の矩形波に変更して、隣接する立ち上がりエッジ又は立ち下がりエッジ間の時間間隔に基いて受信したデータのビットシーケンスを特定するように構成される。
【００５１】
また、特定ユニット４２が特定する前記受信したデータのビットシーケンスは同期ヘッド、伝送する符号及び同期エンドを順に含み、前記同期ヘッドが同一のビット値を有するＭ（Ｍ≧２）ビットを有する。また、前記同期ヘッドはＭ（Ｍ＝２０）個ビット１からなることが好ましい。
【００５２】
または、特定ユニット４２が特定する前記受信したデータのビットシーケンスは同期ヘッド、伝送する符号及び同期エンドを順に含み、前記同期エンドが同一のビット値を有するＮ（Ｎ≧２）ビットを有する。また、前記同期エンドはＮ（Ｎ＝２０）個ビット０からなることが好ましい。
【００５３】
さらに、特定ユニット４２が特定する前記受信したデータのビットシーケンスでは、前記伝送する符号が少なくとも１ビットのスタートビット、少なくとも１ビットのデータビット、及び少なくとも１ビットのエンディングビットを順に含み、前記スタートビットが同一のビット値を有し、且つ前記スタートビットのビット値が前記同期ヘッドのビット値と異なる。
【００５４】
または、特定ユニット４２が特定する前記受信したデータのビットシーケンスでは、前記伝送する符号が少なくとも１ビットのスタートビット、少なくとも１ビットのデータビット、及び少なくとも１ビットのエンディングビットを順に含み、前記エンディングビットが同一のビット値を有し、かつ前記エンディングビットのビット値が前記同期エンドのビット値と異なる。
【００５５】
図５に示すように、送信側装置はＴ１の周期を有する正弦波（ｓｉｎ（ω１・ｘ＋π）、但しω１＝２π／｜Ｔ１｜）でビット１のデータを伝送し、Ｔ２の周期を有する正弦波（ｓｉｎ（ω０・ｘ＋π））でビット０のデータを伝送する。但し、ω０＝２π／|Ｔ２|。
また、周期Ｔ１、Ｔ２は下記の関係式を満たす。
Ｔ１：Ｔ２＝１．５：１
【００５６】
また、受信側装置は比較器を利用して正弦波又は三角波を対応の矩形波に変更する。これにより、矩形波の立ち上がりエッジ又は立ち下がりエッジ間の時間間隔のみを検出して受信したデータのビットシーケンスを特定することが可能である。
【００５７】
図６に示すように、送信データのビットシーケンスが同期ヘッド、伝送する符号及び同期エンドを順に含む。伝送する符号に係るビットシーケンスでは複数の符号を含む。伝送する符号をシリアル通信規格に準拠して伝送することもよい。
【００５８】
また、前記同期ヘッドはＭ（Ｍ＝２０）個ビット１からなる。波形の安定さを確保するため、通信路では安定のスタート時間が必要であり、同期ヘッドを送信することによって安定の波形で送信データを伝送でき、即ち、送信を始まるとき生じるパルスで送信データを伝送することを避けることが可能である。
【００５９】
また、前記同期エンドはＮ（Ｎ＝２０）個ビット０からなる。同期エンドを送信することによって安定の波形で最後の送信データを伝送でき、即ち、最後の送信データが確実に伝送され、受信側が正確に受信することを確保できる。
【００６０】
前記伝送する符号が少なくとも１ビットのスタートビット、少なくとも１ビットのデータビット、及び少なくとも１ビットのエンディングビットを順に含むこともよい。
【００６１】
同期ヘッドはＭ個ビット１からなる場合、スタートビットのビット値は０である。このように、受信側装置が符号のスタットビットを正確に識別できるため、同期ヘッドはスタートビットのビット値と異なるビット値を有する。
【００６２】
同期エンドはＮ個ビット１からなる場合、エンディングビットのビット値は１である。このように、受信側装置が符号のエンディングビットを正確に識別できるため、同期エンドはエンディングビットのビット値と異なるビット値を有する。
【００６３】
図７に示すように、送信側装置は送信データを送信する処理は下記ステップを含む。
ステップ７０１：送信側装置が同期ヘッドを送信し、
ステップ７０２：送信側装置が伝送する符号を送信し、
ステップ７０３：送信側装置が同期エンドを送信する。
【００６４】
図８に示すように、受信側装置はデータを受信する処理は下記ステップを含む。
ステップ８０１：受信側装置が同期ヘッドを受信し、
ステップ８０２：受信側装置が伝送する符号を受信し、
ステップ８０３：受信側装置が同期エンドを受信する。
【００６５】
上述した本発明の実施形態によれば、受信側装置は周期の波形の周期に基づいて受信したデータのビットシーケンスを特定することが可能であり、これによって、従来技術のようにデューティー比を検出する必要がなくなり、受信側の負担及びコストを低減することができる。
【００６６】
別の実施形態として、図９に示すように、本実施形態に係るデータ送信方法、データ受信方法は、下記構成が図５〜図８に示したデータ送信方法、データ受信方法と相違する。
送信側装置はＴ１の周期を有する正弦波（ｓｉｎ（ω１・ｘ）、但しω１＝２π／｜Ｔ１｜）でビット１のデータを伝送し、Ｔ２の周期を有する正弦波（ｓｉｎ（ω０・ｘ）、但しω０＝２π／｜Ｔ２｜）でビット０のデータを伝送する。
また、周期Ｔ１、Ｔ２は下記の関係式を満たす。
Ｔ１：Ｔ２＝１．５：１
【００６７】
本実施形態に係るデータ送信方法、データ受信方法の構成は、図５〜図８に示した実施の形態に係るデータ送信方法、データ受信方法の技術内容を参照することにより理解されるため、説明は省略する。
【００６８】
また、本実施形態に係るデータ送信方法、データ受信方法は、周期の波形として三角波を利用してもよいことが図５〜図８に示したデータ送信方法、データ受信方法と相違する。
【００６９】
本実施形態に係るデータ送信方法、データ受信方法の構成は、図５〜図８に示した実施の形態に係るデータ送信方法、データ受信方法の技術内容を参照することにより理解されるため、説明は省略する。
【００７０】
また、本実施形態に係るデータ送信方法、データ受信方法は、周期の波形として矩形波を利用してもよいことが図５〜図８に示したデータ送信方法、データ受信方法と相違する。
【００７１】
本実施形態に係るデータ送信方法、データ受信方法の構成は、図５〜図８に示した実施の形態に係るデータ送信方法、データ受信方法の技術内容を参照することにより理解されるため、説明は省略する。
【００７２】
以上に説明したのは、本発明の具体的な実施方式であり、本発明の保護範囲はこれに限定されるものではなく、当業者が本発明を開示した技術範囲内で、容易に想到できる変更または入れ替えは全部本発明の保護範囲に含まれている。このため、本発明の保護範囲は、特許請求の範囲を基準にするべきである。
【００７３】
当業者であれば理解されるように、以上に説明した実施形態の処理の一部又は全部は、あらかじめコンピュータ読み取り可能な記憶媒体に記憶されたプログラムを読み出して実行することによって、ハードウェアの動作を制御して行われる。前記記憶媒体は磁気ディスク、光ディスク、ROM（Read-Only Memory）又はRAM（Random Access Memory）等を利用する。
【図１】
0005721202.tif 000002
【図２】
0005721202.tif 000003
【図３】
0005721202.tif 000004
【図４】
0005721202.tif 000005
【図５】
0005721202.tif 000006
【図６】
0005721202.tif 000007
【図７】
0005721202.tif 000008
【図８】
0005721202.tif 000009
【図９】
0005721202.tif 000010